【手続補正書】
【提出日】平成13年10月30日(2001.10.30)
【手続補正１】
【補正対象書類名】明細書
【補正対象項目名】特許請求の範囲
【補正方法】変更
【補正の内容】
【特許請求の範囲】
【請求項１】
材料の組合せライブラリに対するライブラリ設計を生成するためのコンピュータ実装方法であって：
一つ以上のソースおよび一つ以上の宛先を規定するステップであって、各ソースは前記組合せライブラリを作成することに使用される成分を表す電子データであり、各宛先はセルの編成を表す電子データである、前記ステップと；
第１マッピングを規定する入力を受取るステップであって、前記第１マッピングは前記編成中のセルへ成分を割当てるための配分パターンを規定する電子データであり、前記配分パターンは前記編成のいずれかのセルへ割当てられる前記成分の最少量および最大量と、前記複数のセルにわたり前記成分の前記最少量および最大量の間に適用される変化度を含む、前記ステップと；
前記第１マッピングを使用して、前記セルの一つ以上へ割当てられる一つ以上の材料の組成を計算するステップと；
前記ライブラリ設計を規定するデータファイルを生成するステップであって、前記データファイルは前記ソース、前記宛先および前記マッピングを表す電子データを含む、前記ステップと；を含む方法。
【請求項２】
更に、前記ライブラリ設計の表出を表示するステップを含み、前記表出は前記セルの一つ以上へ割当てられる一つ以上の材料の前記組成をグラフで記述する、請求項１の方法。
【請求項３】
前記データファイルは、性質の一つ以上のセットを表す電子データを含み、性質の各セットは前記ソース、前記宛先または前記マッピングの一つと連係する、請求項１の方法。
【請求項４】
前記ソースおよび宛先を規定するステップは、グラフィカル入力装置から入力を受取るステップを含む、請求項１の方法。
【請求項５】
第１マッピングを規定する前記入力は、利用可能なマッピング種類のセットからの選択を含み、前記利用可能なマッピング種類のセットは、ソースから前記編成中のセルへの成分の１対１のマッピング、および、ソースから前記編成中の複数のセルへの成分の１対多のマッピングを含む、請求項１の方法。
【請求項６】
前記利用可能なマッピング種類のセットは、更に、複数のソースから前記編成中の複数のセルへの複数の成分の多対多のマッピングを含む、請求項５の方法。
【請求項７】
前記利用可能なマッピング種類のセットは、更に、複数のソースから前記編成中のセルへの複数の成分の多対１のマッピングを含む、請求項６の方法。
【請求項８】
前記利用可能なマッピング種類のセットは、更に、一つ以上のユーザ規定の式のセットを含む、請求項１の方法。
【請求項９】
前記変化度は、直線、対数、指数、多項式、および等比級数から成るグループから選択される、請求項１の方法。
【請求項１０】
前記マッピングと連係する前記性質のセットはソース名、ソースジオメトリ、宛先名、宛先ジオメトリ、変化度種類、および前記変化度を規定する変化度パラメータのセットを含む、請求項３の方法。
【請求項１１】
更に：
第２マッピングを規定する入力を受取るステップであって、前記第２マッピングは前記編成中のセルへ第２成分を配分するための第２配分パターンを規定する電子データである、前記ステップ；
前記第１および第２マッピングを使用して、前記セルの一つ以上へ割当てられる一つ以上の材料の組成を計算するステップ；を含む、請求項１の方法。
【請求項１２】
第２成分を割当てるための前記第２配分パターンは、前記編成中の一つ以上のセルへ割当てられる前記第２成分の固定量を指定する電子データを含む、請求項１１の方法。
【請求項１３】
第２成分を割当てるための前記第２配分パターンは、前記編成の前記セルのいずれかへ割当てられる前記第２成分の最少量と最大量と、前記セルにわたり前記第２成分の前記最少量および最大量間に適用される第２変化度とを指定する電子データを含む、請求項１２の方法。
【請求項１４】
更に：
ソース、宛先、またはマッピングを再規定する入力を受取るステップ；
前記セルの一つ以上へ割当てられる一つ以上の材料の前記組成を再計算するステップ；
修正されたライブラリ設計を規定するデータファイルを生成するステップ；
によって前記修正されたライブラリ設計を生成するステップを含む、請求項１の方法。
【請求項１５】
更に：
一つ以上のパラメータを規定する入力を受取るステップを含み、各パラメータは、プロセスパラメータに対応し、前記編成の一つ以上のセルに対するパラメータ値を規定する、電子データであり、前記パラメータ値は最少量および最大量の間で変化し；
前記データファイルは、更に前記一つ以上のパラメータを表す電子データを含む、請求項１の方法。
【請求項１６】
前記編成は２つ以上のセルを含む、請求項１の方法。
【請求項１７】
前記編成は１０以上のセルを含む、請求項１の方法。
【請求項１８】
前記編成は約９６以上のセルを含む、請求項１の方法。
【請求項１９】
材料の組合せライブラリに対するライブラリ設計を生成するためのコンピュータ実装方法であって：
一つ以上のソースおよび一つ以上の宛先のセットを規定するステップであって、各ソースは前記組合せライブラリを作成することに使用される成分を表す電子データであり、各宛先はセルの編成を表す電子データである、前記ステップ；
第１マッピングのセットを規定する入力を受取るステップであって、前記第１マッピングは編成中の一つ以上のセルへ割当てられる一つ以上の成分の量を計算するための式のセットを規定する電子データである、前記ステップ；
前記式のセットを使用して、前記セルの一つ以上へ割当てられる材料の組成を計算するステップ；
前記ライブラリ設計を規定するデータファイルを生成するステップであって、前記データファイルは前記ソース、前記宛先および前記マッピングを表す電子データを含む、前記ステップ；を含む方法。
【請求項２０】
更に：
前記ライブラリ設計の表出を表示するステップを含み、前記表出は前記セルの一つ以上へ割当てられる一つ以上の材料の前記組成をグラフで記述する、請求項１９の方法。
【請求項２１】
前記編成中のセルへ割当てられる前記成分は、前記編成内の前記セルの前記場所によって決定される、請求項１９の方法。
【請求項２２】
前記材料の組成は、前記式のセットのサブセットを使用して決定され、前記式のサブセットは前記編成内の前記セルの前記場所によって決定される、請求項２１の方法。
【請求項２３】
更に：
前記式のセットでの前記式の数が前記ソースのセットでの前記ソースの数と等しくない場合、エラー指示信号を生成するステップを含む、請求項１９の方法。
【請求項２４】
前記式のセットの少なくとも一つは：
セルへ割当てられる成分の量を前記セルへ割当てられる別の成分の量の関数として規定する比率の式と；
セルへ割当てられる成分の量を前記セルへ割当てられる複数の成分の総計容積の関数として規定する容積の式と；
セルへ割当てられる成分の量を前記セルへ割当てられる複数の成分の総計質量の関数として規定する質量の式と；
から成るグループから選択される、請求項１９の方法。
【請求項２５】
前記式のセットは、変化度に従い複数のセルの各々へ割当てられる成分の量を規定する変化度の式を含む、請求項１９の方法。
【請求項２６】
前記式のセットの各々は、前記編成内の前記セルの前記場所に従い前記編成の一つ以上のセルへ割当てられる、請求項１９の方法。
【請求項２７】
前記セルの一つ以上へ割当てられる材料の組成を計算することに前記式のセットを使用するステップは、相互依存の式のセットを同時に解くステップを含む、請求項１９の方法。
【請求項２８】
前記式のセットを使用するステップは、更に、前記式のセットを解くことに逆行列技術を使用するステップを含む、請求項２７の方法。
【請求項２９】
更に：
第２マッピングを規定する入力を受取るステップであって、前記第２マッピングは前記編成中のセルへ成分を配分するための配分パターンを規定する電子データであり、前記配分パターンは前記編成の前記セルのいずれかのセルへ割当てられる前記成分の最少量と最大量と、前記複数のセルにわたり前記成分の前記最少量および最大量間に適用される変化度とを含む、前記ステップ；
前記第１マッピングのセットおよび前記第２マッピングを使用して、前記セルの一つ以上へ割当てられる材料の組成を計算するステップ；を含む、請求項１９の方法。
【請求項３０】
材料の組合せライブラリに対するライブラリ設計を生成するためのコンピュータ実装方法であって：
一つ以上のソースのおよび一つ以上の宛先のセットを規定するステップであって、各ソースは前記組合せライブラリを作成することに使用される成分を表す電子データであり、各宛先はセルの編成を表す電子データである、前記ステップと；
複数のマッピングを規定するステップであって、前記総体での前記マッピングは前記編成中の複数のセルへ割当てられる複数の材料の各々に対する組成を規定する、前記ステップと；
一つ以上のパラメータを規定する入力を受取るステップであって、各パラメータはプロセスパラメータに対応し、前記編成の一つ以上のセルに対するパラメータ値を規定する、電子データであり、前記パラメータ値は最少量および最大量間で変化する、前記ステップと；
前記ライブラリ設計を規定するデータファイルを生成するステップであって、前記データファイルは前記ソース要素、前記宛先要素、前記マッピングおよび前記パラメータを記述する電子データを含む、前記ステップと；を含む方法。
【請求項３１】
前記パラメータ値は、時間と共に変化するよう規定される、請求項３０の方法。
【請求項３２】
前記パラメータ値は、前記編成中の２つ以上のセルにわたり変化するよう規定される、請求項３０の方法。
【請求項３３】
前記パラメータ値は、時間と共に、および前記編成中の２つ以上のセルにわたり変化するよう規定される、請求項３０の方法。
【請求項３４】
前記パラメータ値は直線、対数、指数、多項式、および等比級数から成るグループから選択される変化度に従い変化する、請求項３０の方法。
【請求項３５】
前記パラメータ値は温度、圧力、時間、流量レートおよび撹拌速度から成るグループから選択されるプロセスパラメータに対応する、請求項３０の方法。
【請求項３６】
基板上で材料の組合せライブラリを作成するためのコンピュータ実装方法であって：
設計要素のセットを規定することによってライブラリ設計を創出するステップであって、前記設計要素のセットは、前記組合せライブラリを作成することに使用される成分を表す一つ以上のソースと、一つ以上の宛先と、各宛先は一つ以上のセルの編成を含み、編成の一つ以上のセルへ成分の一つ以上の量を割当てるためのスキームを規定するマッピング、およびプロセスパラメータに対応し前記編成の一つ以上のセルに対してパラメータ値を規定するパラメータ、から成るグループから選択される一つ以上の要素とを含み、前記パラメータ値は最少量および最大量間で変化する、前記ステップと；
前記ソース、前記宛先、前記マッピングおよび前記パラメータを記述する電子データを含むデータファイルを生成するステップと；
自動材料取扱装置に基板上で前記組合せライブラリを組立させることに前記データファイルを使用するステップと；
を含む方法。
【請求項３７】
材料の組合せライブラリに対するライブラリ設計を生成するためのコンピュータの解読可能な媒体上のコンピュータプログラム製品であって、前記プログラムはプログラム可能なプロセッサに：
各ソースが前記組合せライブラリを作成することに使用される成分を表す電子データであり、各宛先がセルの編成を表す電子データであり、一つ以上のソースおよび一つ以上の宛先を規定する入力を受取ること；
前記第１マッピングが前記編成中のセルへ成分を割当てるための配分パターンを規定する電子データであり、前記配分パターンが前記編成のいずれかのセルへ割当てられる前記成分の最少量および最大量と、前記複数のセルにわたり前記成分の前記最少量および最大量間に適用される変化度とを含み、第１マッピングを規定する入力を受取ること；
前記第１マッピングを使用して、前記セルの一つ以上へ割当てられる一つ以上の材料の組成を計算すること；
前記データファイルが前記ソース、前記宛先および前記マッピングを表す電子データを含み、前記ライブラリ設計を規定するデータファイルを生成すること；
をさせるよう動作可能な命令を含むコンピュータプログラム。
【請求項３８】
更に、プログラム可能なプロセッサに前記ライブラリ設計の表出を表示させるよう動作可能な命令を含み、前記表出は前記セルの一つ以上へ割当てられる一つ以上の材料の前記組成をグラフで記述する、請求項３７のコンピュータプログラム。
【請求項３９】
前記データファイルは性質の一つ以上のセットを表す電子データを含み、性質の各セットは、前記ソース、前記宛先または前記マッピングに連係する、請求項３７のコンピュータプログラム。
【請求項４０】
前記ソースおよび宛先を規定する前記入力はグラフィカル入力装置からの入力を含む、請求項３７のコンピュータプログラム。
【請求項４１】
第１マッピングを規定する前記入力は、利用可能なマッピング種類のセットからの選択を含み、前記利用可能なマッピング種類のセットは、ソースから前記編成中のセルへの成分の１対１のマッピング、および、ソースから前記編成中の複数のセルへの成分の１対多のマッピングを含む、請求項３７のコンピュータプログラム。
【請求項４２】
前記利用可能なマッピング種類のセットは、更に、複数のソースから前記編成中の複数のセルへの複数の成分の多対多のマッピングを含む、請求項４１のコンピュータプログラム。
【請求項４３】
前記利用可能なマッピング種類のセットは、更に、複数のソースから前記編成中のセルへの複数の成分の多対１のマッピングを含む、請求項４２のコンピュータプログラム。
【請求項４４】
前記利用可能なマッピング種類のセットは、更に、一つ以上のユーザ規定の式のセットを含む、請求項４０のコンピュータプログラム。
【請求項４５】
前記変化度は、直線、対数、指数、多項式、および等比級数から成るグループから選択される、請求項３７のコンピュータプログラム。
【請求項４６】
前記マッピングと連係する前記性質のセットはソース名、ソースジオメトリ、宛先名、宛先ジオメトリ、変化度種類、および前記変化度を規定する変化度パラメータのセットを含む、請求項３９のコンピュータプログラム。
【請求項４７】
更に、プログラム可能なプロセッサに：
前記第２マッピングが前記編成中のセルへ第２成分を配分するための第２配分パターンを規定する電子データであり、第２マッピングを規定する入力を受取ること；
前記第１および第２マッピングを使用して、前記セルの一つ以上へ割当てられる一つ以上の材料の組成を計算すること；
をさせるよう動作可能な命令を含む、請求項３７のコンピュータプログラム。
【請求項４８】
第２成分を割当てるための前記第２配分パターンは、前記編成中の一つ以上のセルへ割当てられる前記第２成分の固定量を指定する電子データを含む、請求項４７のコンピュータプログラム。
【請求項４９】
第２成分を割当てるための前記第２配分パターンは、前記編成の前記セルのいずれかへ割当てられる前記第２成分の最少量と最大量と、前記セルにわたり前記第２成分の前記最少量および最大量の間適用される第２変化度とを指定する電子データを含む、請求項４８のコンピュータプログラム。
【請求項５０】
更に、：
ソース、宛先、またはマッピングを再規定する入力を受取ること；前記セルの一つ以上へ割当てられる一つ以上の材料の前記組成を再計算すること；修正されたライブラリ設計を規定するデータファイルを生成すること；
によってプログラム可能なプロセッサに前記修正されたライブラリ設計を生成させるよう動作可能な命令を含む、請求項３７のコンピュータプログラム。
【請求項５１】
更に、プログラム可能なプロセッサに：
一つ以上のパラメータを規定する入力を受取らせるよう動作可能な命令を含み、各パラメータは、プロセスパラメータに対応し、前記編成の一つ以上のセルに対するパラメータ値を規定する、電子データであり、前記パラメータ値は最少量および最大量間で変化し；
前記データファイルは、更に、前記一つ以上のパラメータを表す電子データを含む；請求項３７のコンピュータプログラム。
【請求項５２】
前記編成は２つ以上のセルを含む、請求項３７のコンピュータプログラム。
【請求項５３】
前記編成は１０以上のセルを含む、請求項３７のコンピュータプログラム。
【請求項５４】
前記編成は約９６以上のセルを含む、請求項３７のコンピュータプログラム。
【請求項５５】
材料の組合せライブラリに対するライブラリ設計を生成するためのコンピュータの解読可能な媒体上のコンピュータプログラム製品であって、前記プログラムは、プログラム可能なプロセッサに：
各ソースは前記組合せライブラリを作成することに使用される成分を表す電子データであり、各宛先はセルの編成を表す電子データであり、一つ以上のソースのおよび一つ以上の宛先のセットを規定する入力を受取ること；
前記第１マッピングは編成中の一つ以上のセルへ割当てられる一つ以上の成分の量を計算するための式のセットを規定する電子データであり、第１マッピングのセットを規定する入力を受取ること；
前記セルの一つ以上へ割当てられる材料の組成を計算することに前記式のセットを使用すること；
前記データファイルは前記ソース、前記宛先および前記マッピングを表す電子データを含み、前記ライブラリ設計を規定するデータファイルを生成すること；
をさせるよう動作可能な命令を含むコンピュータプログラム。
【請求項５６】
更に、前記ライブラリ設計の表出を表示するよう動作可能な命令を含み、前記表出は前記セルの一つ以上へ割当てられる一つ以上の材料の前記組成をグラフで記述する、請求項５５のコンピュータプログラム。
【請求項５７】
前記編成中のセルへ割当てられる前記成分は、前記編成内の前記セルの前記場所によって決定される、請求項５５のコンピュータプログラム。
【請求項５８】
前記材料の組成は前記式のセットのサブセットを使用して決定され、前記式のサブセットは前記編成内の前記セルの前記場所によって決定される、請求項５７のコンピュータプログラム。
【請求項５９】
更に、前記式のセットでの前記式の数が前記ソースのセットでの前記ソースの数と等しくない場合、エラー指示信号を生成するよう動作可能な命令を含む、請求項５５のコンピュータプログラム。
【請求項６０】
前記式のセットの少なくとも一つは：
セルへ割当てられる成分の量を前記セルへ割当てられる別の成分の量の関数として規定する比率の式と；
セルへ割当てられる成分の量を前記セルへ割当てられる複数の成分の総計容積の関数として規定する容積の式と；
セルへ割当てられる成分の量を前記セルへ割当てられる複数の成分の総計質量の関数として規定する質量の式と；から成るグループから選択される、請求項５５のコンピュータプログラム。
【請求項６１】
前記式のセットは、変化度に従い複数のセルの各々へ割当てられる成分の量を規定する変化度の式を含む、請求項５５のコンピュータプログラム。
【請求項６２】
前記式のセットの各々は、前記編成内の前記セルの前記場所に従い前記編成の一つ以上のセルへ割当てられる、請求項５５のコンピュータプログラム。
【請求項６３】
プログラム可能なプロセッサに、前記セルの一つ以上へ割当てられる材料の組成を計算することに前記式のセットを使用させるよう動作可能な前記命令は、相互依存の式のセットを同時に解く命令を含む、請求項５５のコンピュータプログラム。
【請求項６４】
前記相互依存の式のセットを同時に解く前記命令は、更に、前記式のセットを解くことに逆行列技術を使用する命令を含む、請求項６３のコンピュータプログラム。
【請求項６５】
更に：
前記第２マッピングは前記編成中のセルへ成分を配分するための配分パターンを規定する電子データであり、前記配分パターンは前記編成の前記セルのいずれかのセルへ割当てられる前記成分の最少量と最大量と、前記複数のセルにわたり前記成分の前記最少量および最大量間に適用される変化度とを含み、第２マッピングを規定する入力を受取ること；
前記第１マッピングのセットおよび前記第２マッピングを使用して、前記セルの一つ以上へ割当てられる材料の組成を計算すること；をするよう動作可能な命令を含む、請求項５５のコンピュータプログラム。
【請求項６６】
材料の組合せライブラリに対するライブラリ設計を生成するためのコンピュータの解読可能な媒体上のコンピュータプログラム製品であって、前記プログラムは、プログラム可能なプロセッサに：
各ソースは前記組合せライブラリを作成することに使用される成分を表す電子データであり、各宛先はセルの編成を表す電子データであり、一つ以上のソースのおよび一つ以上の宛先のセットを規定する入力を受取ること；
前記総体での前記マッピングは前記編成中の複数のセルへ割当てられる複数の材料の各々に対する組成を規定し、複数のマッピングを規定する入力を受取ること；
各パラメータはプロセスパラメータに対応し、前記編成の一つ以上のセルに対するパラメータ値を規定する、電子データであり、前記パラメータ値は最少量および最大量間で変化し、一つ以上のパラメータを規定する入力を受取ること；
前記ライブラリ設計を規定するデータファイルを生成すること、前記データファイルは前記ソース要素、前記宛先要素、前記マッピングおよび前記パラメータを記述する電子データを含む；
をさせるよう動作可能な命令を含むコンピュータプログラム。
【請求項６７】
前記パラメータ値は時間と共に変化するよう規定される、請求項６６のコンピュータプログラム。
【請求項６８】
前記パラメータ値は前記編成中の２つ以上のセルにわたり変化するよう規定される、請求項６６のコンピュータプログラム。
【請求項６９】
前記パラメータ値は時間と共に、および前記編成中の２つ以上のセルにわたり変化するよう規定される、請求項６６のコンピュータプログラム。
【請求項７０】
前記パラメータ値は、直線、対数、指数、多項式、および等比級数から成るグループから選択される変化度に従い変化する、請求項６６のコンピュータプログラム。
【請求項７１】
前記パラメータ値は温度、圧力、時間、流量レート、および撹拌速度から成るグループから選択されるプロセスパラメータに対応する、請求項６６のコンピュータプログラム。
【請求項７２】
材料の組合せライブラリに対するライブラリ設計を生成するためのコンピュータの解読可能な媒体上のコンピュータプログラム製品であって、前記プログラムは、プログラム可能なプロセッサに：
前記設計要素のセットは、前記組合せライブラリを作成することに使用される成分を表す一つ以上のソースと、一つ以上の宛先と、各宛先は一つ以上のセルの編成を含み、編成の一つ以上のセルへ成分の一つ以上の量を割当てるためのスキームを規定するマッピング、およびプロセスパラメータに対応し前記編成の一つ以上のセルに対してパラメータ値を規定するパラメータ、から成るグループから選択される一つ以上の要素とを含み、前記パラメータ値は最少量および最大量間で変化し、設計要素のセットを規定することによってライブラリ設計を創出すること；
前記ソース、前記宛先、前記マッピングおよび前記パラメータを記述する電子データを含むデータファイルを生成すること；
自動材料取扱装置に基板上で前記組合せライブラリを組立させることに前記データファイルを使用すること；
をさせるよう動作可能な命令を含むコンピュータプログラム。
【請求項７３】
前記ソースの各々は、そのソースを記述する関連した一連のソースプロパティを有し、前記ソースを規定するステップは、前記ソースの各々に対し、前記ソースに関連した一以上のソースプロパティに対する一連の値を受け取る工程を含む、請求項１、１９及び３０のいずれか一項に記載の方法。
【請求項７４】
前記ソースプロパティの少なくとも一つは、分子の重量、当量、密度および濃度から成るグループから選択される、請求項５１記載の方法。
【請求項７５】
前記ソースプロパティの少なくとも一つは、前記ライブラリ設計を生成するときに使用される化学物質のクラスを記述するタイプである、請求項５１記載の方法。
【請求項７６】
前記ソースの各々は、そのソースを記述する関連した一連のソースプロパティを有し、
プログラム可能なプロセッサに前記ソースを規定させるために動作可能なインストラクションは、前記ソースに関連した一以上のソースプロパティに対する一連の値を、前記ソースの各々の為に、プログラム可能なプロセッサに受け取らせる為に動作可能なインストラクションを含む、請求項３７、５５及び５６のいずれか一項に記載のコンピュータプログラム製品。
【請求項７７】
前記ソースプロパティの少なくとも一つは、分子の重量、当量、密度および濃度から成る群から選択される、請求項５４記載の方法。
【請求項７８】
前記ソースプロパティの少なくとも一つは、前記ライブラリ設計を生成するときに使用される化学物質のクラスを記述するタイプである、請求項５４記載の方法。
【請求項７９】
材料の組み合わせライブラリの為にライブラリ設計を生成するコンピュータ実行（ｃｏｍｐｕｔｅｒ−ｉｍｐｌｅｍｅｎｔｅｄ）方法において、
組み合わせライブラリは、化学物質の組成、化学物質量、反応条件および／または処理条件における幾つかの変数を含む２以上の構成要素の集合であり、構成要素は、ライブラリにおける単一の位置であり、ライブラリ設計は、組み合わせライブラリを表すセルの概念的配列を横切って分配された１以上のコンポーネントを表す電子データであり、前記セルは、物理的基板上の組み合わせライブラリ及び／又はロケーションの構成要素に対応する、前記コンピュータ実行方法であって、
組み合わせライブラリを準備する際に使用される１以上の一連のパラメータを規定するステップであって、各パラメータは、組み合わせライブラリを表す１以上のセル配列に適用されるプロセス条件に対応する電子データである、前記ステップと；
パラメータセットの各々の対する１以上の数値を規定するステップであって、前記パラメータ値は、一以上のセル配列に適用される対応したプロセス条件の量を表し、前記一連のパラメータの少なくとも一つに対するパラメータ値は、最小量と最大量との間で変動する、前記ステップと；
前記ライブラリ設計を規定するデータファイルを生成するステップであって、前記データファイルは、前記組み合わせライブラリ、前記パラメータ及び前記パラメータ値を表す前記概念的セル配列を横切って分配された前記１以上のコンポーネントを示す電子データを備える、前記ステップと；
を備える、コンピュータ実行方法。
【請求項８０】
少なくとも一つの前記パラメータに対する前記パラメータ値は、時間および／または前記配列における２以上のセルにわたって変動する、請求項７９記載の方法。
【請求項８１】
少なくとも一つの前記パラメータに対する前記パラメータ値は、線形の数列、対数の数列、指数の数列、多項式の数列、幾何学の数列から成る群から選択される傾斜度に従って変化する、請求項７９記載の方法。
【請求項８２】
少なくとも一つの前記パラメータに対する前記パラメータ値は、温度、圧力、時間、流速、混合速度から成る群から選択される処理条件の量に対応する、請求項７９記載の方法。
【請求項８３】
前記ライブラリ設計のグラフィカル表示を生成するステップであって、前記グラフィカル表示は、一以上の前記パラメータに対する前記配列において一以上の前記セルに割り当てられたパラメータ値を記述する、前記ステップを更に備える、請求項７９記載の方法。
【請求項８４】
前記ライブラリ設計に従って、自動化装置に、組み合わせライブラリを準備させる為にデータファイルを使用するステップを更に備える、請求項７９記載の方法。
【請求項８５】
材料の組み合わせライブラリの為にライブラリ設計を生成するコンピュータ読み取り可能媒体におけるコンピュータプログラム製品において、
組み合わせライブラリは、化学物質の組成、化学物質量、反応条件および／または処理条件における幾つかの変数を含む２以上の構成要素の集合であり、構成要素は、ライブラリにおける単一の位置であり、ライブラリ設計は、組み合わせライブラリを表すセルの概念的配列を横切って分配された１以上のコンポーネントを表す電子データであり、前記セルは、物理的基板上の組み合わせライブラリ及び／又はロケーションの構成要素に対応する、前記コンピュータ実行方法であって、
前記組み合わせライブラリを準備する際に使用される１以上の一連のパラメータを規定するステップであって、各パラメータは、組み合わせライブラリを表す１以上のセル配列に適用されるプロセス条件に対応する電子データである、前記ステップと；
パラメータセットの各々の対する１以上の数値を規定するステップであって、前記パラメータ値は、一以上のセル配列に適用される対応プロセス条件の量を表し、前記一連のパラメータの少なくとも一つに対するパラメータ値は、最小量と最大量との間で変動する、前記ステップと；
前記ライブラリ設計を規定するデータファイルを生成するステップであって、前記データファイルは、前記組み合わせライブラリ、前記パラメータ及び前記パラメータ値を表す前記概念的セル配列を横切って分配された前記１以上のコンポーネントを示す電子データを備える、前記ステップと；
を備える、コンピュータプログラム製品。
【請求項８６】
少なくとも一つの前記パラメータに対する前記パラメータ値は、時間および／または前記配列における２以上のセルにわたって変動する、請求項８５記載のコンピュータプログラム製品。
【請求項８７】
少なくとも一つの前記パラメータに対する前記パラメータ値は、線形の数列、対数の数列、指数の数列、多項式の数列、幾何学の数列から成る群から選択される傾斜度に従って変化する、請求項８５記載のコンピュータプログラム製品。
【請求項８８】
少なくとも一つの前記パラメータに対する前記パラメータ値は、温度、圧力、時間、流速、混合速度から成る群から選択される処理条件の量に対応する、請求項８５記載のコンピュータプログラム製品。
【請求項８９】
プログラム可能なプロセッサに前記ライブラリ設計のグラフィカル表示を生成させるように操作可能であり、前記グラフィカル表示は、一以上の前記パラメータに対する前記配列における一以上の前記セルに割り当てられたパラメータ値を記述する、前記ステップを更に備える、請求項８５記載のコンピュータプログラム製品。
【請求項９０】
プログラム可能なプロセッサにデータファイルを使用させるように操作可能であり、前記ライブラリ設計に従って、自動化装置に組み合わせライブラリを準備させるインストラクションを更に備える、請求項８５記載のコンピュータプログラム可能な製品。